(57)【要約】【課題】蓋を開いたときに、蓋の開閉の動きを減速するために設けられた円弧状のラック等が見えないようにする。【解決手段】前面パネル３に回動軸９，１０を介して回動自在に蓋４を設け、当該蓋４の開閉の動きを減速させる減速手段を設けた開閉蓋装置において、前面パネル３の内部に回動軸９，１０を中心とする円弧形状のラック１６を設ける一方、蓋４にはアーム５を介してラック１６に噛み合うピニオン１３を設けて、前記減速手段を構成する。【選択図】  図１
2004349594.tif 000002
【特許請求の範囲】
【請求項１】
筐体に回動軸を介して回動自在に蓋を設け、当該蓋の開閉の動きを減速させる減速手段を設けた開閉蓋装置において、
前記筐体の内部に前記回動軸を中心とする円弧に沿ってラックを設ける一方、前記蓋にはアームを介して前記ラックに噛み合うピニオンを設けて、第１減速手段を構成したことを特徴とする開閉蓋装置。
【請求項２】
前記蓋が開閉した状態で前記蓋をロックするロック手段を設け、前記ラックの近傍と前記アームの先端とのうちのいずれか一方には凸部を設けて他方には凹部を設け、前記凸部と前記凹部とのうちのいずれか一方を他方へ向かって付勢する付勢手段を設けて前記ロック手段を構成したことを特徴とする請求項１に記載の開閉蓋装置。
【請求項３】
前記アームは前記回動軸から前記蓋の内側であって前記蓋に対して略直角な方向へ突出して設け、前記蓋の可動範囲を略９０度に設定したことを特徴とする請求項１に記載の開閉蓋装置。
【請求項４】
前記ラックは前記回動軸を中心とする円弧の内側に形成したことを特徴とする請求項１に記載の開閉蓋装置。
【請求項５】
前記ピニオンの回転に抵抗力を加えることで前記蓋の開閉の動きを減速させる第２減速手段を設けたことを特徴とする請求項１に記載の開閉蓋装置。
【発明の詳細な説明】
【０００１】
【発明の属する技術分野】
本発明は、開閉蓋装置に関し、蓋を開けたときに美観を損ねることがないようにしたものである。
【０００２】
【従来の技術】
内部に電子部品を収容した機器には、カセットを挿抜したりあるいは操作釦を格納・露出させたりする目的で蓋が開閉自在に設けられ、開閉蓋装置を構成している。従来の開閉蓋装置としては、図４に示すように、前面パネル５１の下部に設けられた図示しない回動軸を中心として回動自在に蓋５２ａ，５２ｂを設け、当該回動軸を中心とする円弧状のラック５３ａ，５３ｂを蓋５２ａ，５２ｂの内側に設ける一方、前面パネル５１には当該ラック５３ａ，５３ｂに噛み合うギヤダンパ５４ａ，５４ｂを固定して設けている。このギヤダンパ５４ａ，５４ｂはピニオンを回転自在にベースに支持したものであり、夫々のピニオンにはグリスの粘性による回転抵抗力が常時作用している。また、図示しないバネの付勢力に抗して蓋５２ａ，５２ｂの上端を押して閉じると閉じた状態でロックし、再度押すとロックが解除されて図示しないバネの付勢力で蓋が開くようにしたロック手段５５ａ，５５ｂが設けられている。
【０００３】
蓋５２ａ，５２ｂが開閉する際には、円弧状のラック５３ａ，５３ｂが蓋５２ａ，５２ｂと一体に回動し、前記ピニオン５４ａ，５４ｂが強制的に回転させられることになる。このピニオン５４ａ，５４ｂにはグリスの粘性による回転抵抗力が作用しているので、ダンパ機能が働き、蓋５２ａ，５２ｂの急激な開閉の動きが抑制される。
【０００４】
このように円弧状のラックを蓋の内側に設けた開閉蓋装置としては、次のものがある（例えば、特許文献１参照。）。
【０００５】
【特許文献１】
特開平５−３２７２３４号公報（［０００２］、図１２）
【０００６】
【発明が解決しようとする課題】
ところが、蓋の内側に円弧状のラックを設けているため、蓋を開いたときに、円弧状のラックが見えてしまい、美観を損ねてしまう。また、ラックにグリス等が塗布されていると、ラックに指が触れた場合にグリス等が指に付着してしまう。このほか、蓋を閉じた状態でロックするためのロック手段も蓋を開いた状態では見えてしまう。
【０００７】
そこで本発明は、上記の課題を解決した開閉蓋装置を提供することを目的とする。
【０００８】
【課題を解決するための手段】
上記の目的を達成するための請求項１に係る開閉蓋装置の構成は、筐体に回動軸を介して回動自在に蓋を設け、当該蓋の開閉の動きを減速させる減速手段を設けた開閉蓋装置において、前記筐体の内部に前記回動軸を中心とする円弧に沿ってラックを設ける一方、前記蓋にはアームを介して前記ラックに噛み合うピニオンを設けて、第１減速手段を構成したことを特徴とする。
【０００９】
このような開閉蓋装置では、蓋の内側に円弧形状のラックが設けられていないので、蓋を開いたときにラックが露出せず美観が損なわれない。また、ラックに指が触れてラックに塗布されたグリス等が指に付着することもない。
【００１０】
請求項２に係る開閉蓋装置の構成は、請求項１において、前記蓋が開閉した状態で前記蓋をロックするロック手段を設け、前記ラックの近傍と前記アームの先端とのうちのいずれか一方には凸部を設けて他方には凹部を設け、前記凸部と前記凹部とのうちのいずれか一方を他方へ向かって付勢する付勢手段を設けて前記ロック手段を構成したことを特徴とする。
【００１１】
このような開閉蓋装置では、ロック手段が筐体の内側に位置することから、蓋を開いたときにロック手段が露出せず美観が損なわれることはない。また、ロック手段はアームの長さを半径として回動軸から離れた位置に配置されるため、ロック手段に生じる遊びの量が同じであっても、ロック手段が回動軸の近傍に配置された場合に比べ、蓋に生じる遊びの量が少なく、ロックの精度が高い。
【００１２】
請求項３に係る開閉蓋装置の構成は、請求項１において、前記アームは前記回動軸から前記蓋の内側であって前記蓋に対して略直角な方向へ突出して設け、前記蓋の可動範囲を略９０度に設定したことを特徴とする。
【００１３】
このような開閉蓋装置は、蓋は略９０度まで開くことができる。
【００１４】
請求項４に係る開閉蓋装置の構成は、請求項１において、前記ラックは前記回動軸を中心とする円弧の内側に形成したことを特徴とする。
【００１５】
このような開閉蓋装置では、ピニオンは円弧状のラックの内側を転がることになる。
【００１６】
請求項５に係る開閉蓋装置の構成は、請求項１において、前記ピニオンの回転に抵抗力を加えることで前記蓋の開閉の動きを減速させる第２減速手段を設けたことを特徴とする。
【００１７】
このような開閉蓋装置では、ピニオンが円弧状のラックに沿って転がり終えると蓋の開閉の動きが完了することから結果として蓋の開閉の動きが減速される第１減速手段と、ピニオンの回転に抵抗力が加わることから結果として蓋の開閉の動きが減速される第２減速手段とを有するので、蓋の開閉の動きが２段階に減速される。
【００１８】
【発明の実施の形態】
以下、本発明による開閉蓋装置の実施の形態を説明する。本実施の形態は、本発明をＤＶＤレコーダに適用したものである。
【００１９】
図２（ａ）に示すように、ＤＶＤレコーダを構成する筐体１は、本体２と前面パネル３とで構成され、電子部品は本体２の内部に収容されている。そして、前面パネル３の下部には、図３のように前方の下方へ向かって開く蓋４が取り付けられ、開閉蓋装置を構成している。蓋４は、頻繁には使用されない一部の操作釦が外部から見えないようにするために設けられる。以下に、開閉蓋装置を詳細に説明する。
【００２０】
図１に示すように、蓋４の内側の下部には、蓋４と略直角な方向へ突出する一対のアーム５，６の基端部が一体に結合されている。右側のアーム５は長く、左側のアーム６は短くなっている。一方、前面パネル３の下部であってアーム５，６と対応する位置には、前面と底面との境界の位置に双方の面に亘って切り欠くことで、貫通孔７，８が形成されている。長いアーム５の基端部近傍と短いアーム６の中間位置とに装着された一対の回動軸９，１０の内側の部分が、前面パネル３の下面に形成された図示しない凹部に嵌め込まれて図示しない押さえ部材により固定されている。長いアーム５の先端部近傍の外側には切欠部５ａが形成されており、切欠部５ａにはギヤダンパ１１がネジ１２を介して取り付けられている。ギヤダンパ１１は、ピニオン１３をベース１４に回転自在に取り付けたものであり、グリスの粘性によりピニオン１３の回転に抵抗力が加わることで蓋４の開閉の動きが減速される第２減速手段を構成している。
【００２１】
一方、前面パネル３の内側の側面には、ラック部材１５が図示しないネジを介して結合されている。前記ピニオン１３が回動軸９を中心として円運動を描くことから、ラック部材１５には前記ピニオン１３が噛み合うための円弧状のラック１６が形成されている。ラック１６は本実施の形態では円の内側へ向かって歯が突出する内歯となっており、蓋４が閉じた鉛直状態から開いた水平状態までの略９０度の可動範囲で開閉することから、ピニオン１３も略９０度の可動範囲を往復することになり、このためラック１６は円弧の略１／４の範囲に形成されている。このラック１６とラック１６に噛み合って転がるピニオン１３とによって蓋４の開閉の動きが減速される第１減速手段が構成されている。
【００２２】
蓋４を閉じた状態では蓋４が開かないように蓋４が軽くロックされるようにするため、以下のようなロック手段が設けられている。ラック部材１５の後方の下部にはガイド１７がラック部材１５と一体に形成されており、ガイド１７の内部には前後方向へ往復移動自在にロック部材（凸部）１８が収容されている。そして、ロック部材１８の背面とガイド１７との間には、ロック部材１８を前方へ向かって付勢する圧縮コイルバネ（付勢手段）１９が設けられている。一方、図２のように蓋４が閉じて長いアーム５が水平状態になった時に長いアーム５の先端に前記ロック部材１８が係合し得るように、長いアーム５の先端には凹部５ｂが形成されている。
【００２３】
次に、開閉蓋装置の作用を説明する。図２のように蓋４が閉じている状態では、長いアーム５が前面パネル３内の下部で水平状態になり、圧縮コイルバネ１９によって前方へ付勢されるロック部材１８が、長いアーム５の先端の凹部５ｂに係合する。このため、蓋４が閉じた状態でロックされる。この状態から、蓋４の側面に手を掛けて蓋４を手前に引くと、圧縮コイルバネ１９の付勢力に抗してロック部材１８が後方へ押し戻され、蓋４のロックが外れる。その後、蓋４は回動軸９，１０を中心として前方へ回動し、蓋４は図３のように水平状態になるまで開く。蓋４が全開の状態では、図３（ｂ）のように長いアーム５は鉛直状態になり、アーム５は蓋４の内面に当接して停止する。再度、蓋４を閉じると、ロック部材１８が凹部５ｂに係合し、蓋４が閉じた状態でロックされる。
【００２４】
蓋４を開閉する際の過程について説明する。蓋４が閉じた状態から開いた状態になるまでの間、あるいはその逆の間に、長いアーム５は回動軸９，１０を中心として約９０度回動する。このとき、ピニオン１３がラック１６に沿って円弧の略１／４を転がることになる。円弧の略１／４を転がり終えるまでには時間を必要とし、第１減速手段の作用で蓋４の開閉の動きが減速される。また、ピニオン１３が転がる際にはピニオン１３が回転しなければならず、前記のようにピニオン１３にはグリスの回転抵抗力が作用するので、第２減速手段の作用で蓋４の開閉の動きが減速される。このように、第１減速手段および第２減速手段の双方の作用により、蓋４の開閉の速度は２段階に減速される。第１減速手段の減速比を大きくしたい場合は、アーム１５の長さおよびラック１６の半径寸法を大きくし、ピニオン１３の転がる距離を長くすればよい。
【００２５】
なお、本実施の形態ではＤＶＤレコーダに本発明を適用した場合を示したが、蓋が開閉する構成のものであれば何に適用してもよい。そして、本実施の形態では、鉛直面に取り付けられた蓋が下方へ向かって開く構成であるが、上方へ向かって開く構成でもよく、左右方向へ向かって開く構成でもよい。あるいは筐体の上面に取り付けられた蓋がその周囲の四方のいずれかの方向へ向かって開く構成でもよい。
【００２６】
また、本実施の形態では蓋の可動範囲が略９０度であるものを示したが、可動範囲を例えば略１８０度にすることもできる。その場合は、長いアームの可動範囲も略１８０度となる。蓋の可動範囲を略１８０度にする場合は、長いアームを伸ばす方向は、本実施の形態のように蓋と略直角な方向ではなく、回動軸を基準にした場合、蓋の伸びる方向とは反対の方向となる。美観上の観点から、長いアームは常に前面パネルの内部で動くようにすることが前提となるからである。
【００２７】
更に、本実施の形態ではラックは円弧の内側に形成したが，外側に形成してもよい。また更に、本実施の形態ではロック手段は、アームの先端に凹部を形成して当該凹部に付勢手段を介してロック部材を付勢する構成を採用したが、アームの先端に付勢手段を介してロック部材を設ける一方、ラック部材の後方の下部に凹部を形成するようにしてもよい。また更に、本実施の形態では蓋が閉じた状態でロックする構成にしたが、蓋が開いた状態でロックする構成にすることもできる。
【００２８】
【発明の効果】
以上の説明からわかるように、請求項１に係る開閉蓋装置によれば、蓋の内側に円弧形状のラックが設けられていないので、蓋を開いたときにラックが露出せず美観が損なわれることがない。また、ラックが露出しないので、ラックに指が触れてラックに塗布されたグリス等が指に付着するということも起こらない。
【図面の簡単な説明】
【図１】本発明による開閉蓋装置の実施の形態を示す要部の分解斜視図。
【図２】開閉蓋装置の蓋が閉じた状態に係り、（ａ）は全体の斜視図、（ｂ）は前面パネルの背面から見た斜視図。
【図３】開閉蓋装置の蓋が開いた状態に係り、（ａ）は全体の斜視図、（ｂ）は前面パネルの背面から見た斜視図。
【図４】従来の開閉蓋装置に係り、（ａ）は蓋が閉じたときの斜視図、（ｂ）は蓋が開いたときの斜視図。
【符号の説明】
３…前面パネル
４…蓋
５…アーム
５ｂ…凹部
９，１０…回動軸
１３…ピニオン
１６…ラック
１８…ロック部材
１９…圧縮コイルばね
【図１】
2004349594.tif 000003
【図２】
2004349594.tif 000004
【図３】
2004349594.tif 000005
【図４】
2004349594.tif 000006